(57)【要約】  本開示は、通信デバイスと、基地局と、通信デバイス及び基地局についてのそれぞれの方法と、に関する。通信デバイスは、動作中、基地局から、ホッピングパターンインジケータであって、ホッピングパターンは、信号が複数の送信時間間隔ＴＴＩ内で受信又は送信される複数の帯域幅部分の順序であり、帯域幅部分は、少なくとも１つの物理リソースブロックによって形成される、ホッピングパターンインジケータを受信するトランシーバを備える。通信デバイスは、動作中、ホッピングパターンインジケータに基づいて、適用されるホッピングパターンを判別する回路を更に備える。トランシーバは、動作中、更に、判別されたホッピングパターンに従って複数のＴＴＩ内で信号を受信又は送信する。
2021515441.tif 000002
【特許請求の範囲】
【請求項１】
動作中、基地局から、ホッピングパターンインジケータであって、ホッピングパターンは、信号が複数の送信時間間隔（ＴＴＩ）内で受信又は送信される複数の帯域幅部分の順序であり、帯域幅部分は、少なくとも１つの物理リソースブロックによって形成される、前記ホッピングパターンインジケータを受信するトランシーバと、
動作中、前記ホッピングパターンインジケータに基づいて、適用されるホッピングパターンを判別する回路と、
を備え、
前記トランシーバは、動作中、更に、判別された前記ホッピングパターンに従って前記複数のＴＴＩ内で前記信号を受信又は送信する、
通信デバイス。
【請求項２】
前記トランシーバは、前記ホッピングパターンインジケータを含むダウンリンク制御情報（ＤＣＩ）を受信する、
請求項１に記載の通信デバイス。
【請求項３】
前記トランシーバは、動作中、更に、前記基地局から、前記信号が前記ホッピングパターンに従って受信又は送信されるか否かを示すホッピング存在インジケータであって、前記ホッピング存在インジケータは、準静的にシグナリングされる、前記ホッピング存在インジケータを受信し、
前記回路は、動作中、前記ホッピング存在インジケータを評価して、前記信号が前記ホッピングパターンに従って受信又は送信されるか否かを判定する、
請求項１に記載の通信デバイス。
【請求項４】
前記トランシーバは、動作中、フィールドを含むダウンリンク制御情報（ＤＣＩ）を受信し、
前記信号が前記ホッピングパターンに従って受信又は送信されると前記回路が判定した場合、前記フィールドは、前記ホッピングパターンインジケータを運び、
前記信号が前記ホッピングパターンに従って受信又は送信されないと前記回路が判定した場合、前記フィールドは、前記信号が少なくとも１つのＴＴＩ内で受信又は送信されるアクティブな帯域幅部分を示す帯域幅部分インジケータを運ぶ、
請求項３に記載の通信デバイス。
【請求項５】
前記トランシーバは、動作中、前記ホッピングパターンインジケータを含むダウンリンク制御情報（ＤＣＩ）を受信し、
前記回路は、動作中、前記ＤＣＩの長さに基づいて、前記ホッピングパターンインジケータがシグナリングされるか否かを判定する、
請求項１に記載の通信デバイス。
【請求項６】
前記ホッピングパターンインジケータは、準静的にシグナリングされ、
前記回路は、動作中、前記ホッピング存在インジケータを評価して、前記ホッピングパターンインジケータがシグナリングされるか否かを判定する、
請求項３に記載の通信デバイス。
【請求項７】
前記トランシーバは、動作中、初期帯域幅部分インジケータであって、前記初期帯域幅部分インジケータは、準静的にシグナリングされ、前記信号が前記複数のＴＴＩのうちの初期ＴＴＩ内で受信又は送信される帯域幅部分を指定する、前記初期帯域幅部分インジケータを受信し、
前記回路は、動作中、前記初期帯域幅部分インジケータを評価して、前記信号が前記初期ＴＴＩ内で受信される前記帯域幅部分を判別し、
前記トランシーバは、動作中、前記初期帯域幅部分インジケータによって指定された前記帯域幅部分にて前記初期ＴＴＩ内で前記信号を受信又は送信する、
請求項１乃至６のうちのいずれか一項に記載の通信デバイス。
【請求項８】
前記複数のＴＴＩ内で受信又は送信される前記信号は、一連の繰り返し又は再送である、
請求項１乃至７のうちのいずれか一項に記載の通信デバイス。
【請求項９】
前記基地局から受信される前記ホッピングパターンインジケータは、第１の信号についての第１のホッピングパターンを示す第１のホッピングパターンインジケータであり、
前記トランシーバは、動作中、前記基地局から、第２の信号についての第２のホッピングパターンを指定する第２のホッピングパターンインジケータであって、前記第２のホッピングパターンは前記第１のホッピングパターンとは異なる、前記第２のホッピングパターンインジケータを受信し、
前記回路は、動作中、前記第２のホッピングパターンインジケータを評価して、前記第２のホッピングパターンを判別し、
前記トランシーバは、動作中、前記第２のホッピングパターンに従って前記第２の信号を受信又は送信する、
請求項１乃至８のうちのいずれか一項に記載の通信デバイス。
【請求項１０】
前記第１の信号はデータであり、前記第２の信号は制御情報である、
請求項９に記載の通信デバイス。
【請求項１１】
前記制御情報は、前記第１のホッピングパターンインジケータの繰り返しを含む、
請求項１０に記載の通信デバイス。
【請求項１２】
前記第１の信号及び前記第２の信号は、それぞれの一連の送信又は再送である、
請求項９に記載の通信デバイス。
【請求項１３】
動作中、ホッピングパターンであって、ホッピングパターンは、信号が複数の送信時間間隔（ＴＴＩ）内で送信又は受信される複数の帯域幅部分の順序であり、帯域幅部分は、少なくとも１つの物理リソースブロックによって形成される、前記ホッピングパターンを規定し、前記ホッピングパターンを指定するホッピングパターンインジケータを生成する回路と、
動作中、通信デバイスに前記ホッピングパターンインジケータを送信し、前記ホッピングパターンに従って前記複数のＴＴＩ内で前記信号を送信又は受信するトランシーバと、
を備える基地局。
【請求項１４】
複数の帯域幅部分のうちの少なくとも１つの帯域幅部分であって、帯域幅部分は、少なくとも１つの物理リソースブロックによって形成される、前記少なくとも１つの帯域幅部分にて、ワイヤレス通信システムにおいて基地局から／に信号を受信又は送信するための方法であって、前記方法は、通信デバイスによって実行される、
前記基地局から、ホッピングパターンを指定するホッピングパターンインジケータであって、ホッピングパターンは、前記信号が複数の送信時間間隔（ＴＴＩ）内で受信又は送信される前記複数の帯域幅部分の順序である、前記ホッピングパターンインジケータを受信するステップと、
前記ホッピングパターンインジケータに基づいて前記ホッピングパターンを判別するステップと、
判別された前記ホッピングパターンに従って前記複数のＴＴＩ内で前記信号を受信又は送信するステップと、
を含む、方法。
【請求項１５】
複数の帯域幅部分のうちの少なくとも１つの帯域幅部分であって、帯域幅部分は、少なくとも１つの物理リソースブロックによって形成される、前記少なくとも１つの帯域幅部分にて、ワイヤレス通信システムにおいて通信デバイスに／から信号を送信又は受信するための方法であって、前記方法は、基地局によって実行される、
ホッピングパターンであって、ホッピングパターンは、前記信号が複数の送信時間間隔（ＴＴＩ）内で送信又は受信される前記複数の帯域幅部分の順序である、前記ホッピングパターンを規定するステップと、
前記ホッピングパターンを指定するホッピングパターンインジケータを生成するステップと、
前記通信デバイスに前記ホッピングパターンインジケータを送信するステップと、
前記ホッピングパターンに従って前記複数のＴＴＩ内で前記信号を送信又は受信するステップと、
を含む、方法。
【発明の詳細な説明】
【技術分野】
【０００１】
本開示は、３ＧＰＰ(第３世代パートナーシッププロジェクト）通信システム等の通信システムにおける送受信、デバイス、及び方法に関する。
【背景技術】
【０００２】
現在、第３世代パートナーシッププロジェクト（３ＧＰＰ：the 3rd Generation Partnership Project）は、第５世代（５Ｇ）とも称される次世代セルラー技術についての技術仕様の次のリリース（リリース１５）に取り組んでいる。３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、及びＲＡＮ４が関与する、５Ｇの最初の検討項目「Study on New Radio Access Technology（新しい無線アクセス技術に関する検討）」が承認され、５Ｇの最初の標準規格を規定するリリース１５の作業項目になるものと予測されている。検討項目の目的は、最大１００ＧＨｚまでの周波数帯域で動作し、ＲＡＮ要件検討中に規定された広範なユースケースをサポートする「新無線（ＮＲ）」アクセス技術（ＲＡＴ）を開発することである（例えば、３ＧＰＰ  ＴＲ  ３８．９１３「Study on Scenarios and Requirements for Next Generation Access Technologies（次世代アクセス技術のシナリオ及び要件に関する検討）」、www.3gpp.orgにて入手可能である現バージョン１４．３．０を参照されたい）。
【０００３】
国際電気通信連合によるＩＭＴ−１０１０(International Mobile Telecommunications-2020）仕様は、次世代のモバイル通信についての３つの主要なシナリオである、拡張モバイルブロードバンド（ｅＭＢＢ）、大規模マシンタイプ通信（ｍＭＴＣ）、及び超高信頼性低レイテンシ通信（ＵＲＬＬＣ）を広く分類した。リリース１５における３ＧＰＰの作業項目では、最近完了したフェーズＩは、非スロットベースのスケジューリングを導入することによってカバーされるｅＭＢＢ及び低レイテンシ通信に主にフォーカスしている。フェーズＩＩでは、ＵＲＬＬＣの信頼性の側面がカバーされる予定であり、その後にｍＭＴＣ関連の作業が続く予定である。例えば、ｅＭＢＢ展開シナリオは、屋内ホットスポット、密集都市部、郊外、都市マクロ、及び高速を含み得る；ＵＲＬＬＣ展開シナリオは、産業制御システム、モバイルヘルスケア（遠隔モニタリング、診断、及び治療）、車両のリアルタイム制御、スマートグリッドの広域モニタリング・制御システムを含み得る；ｍＭＴＣは、スマートウェアラブル及びセンサネットワーク等、遅延の影響が小さいデータ伝送による多数のデバイスを伴うシナリオを含み得る。
【発明の概要】
【０００４】
非限定的かつ例示的な一実施形態は、ワイヤレス通信システムにおいて高信頼性のシグナリングを提供することを容易にする。
【０００５】
一実施形態において、ここに開示されている技術は、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて基地局から／に信号を受信又は送信するための通信デバイスを特徴とする。通信デバイスは、動作中、基地局から、ホッピングパターンを指定するホッピングパターンインジケータであって、ホッピングパターンは、信号が複数の送信時間間隔ＴＴＩ内で受信又は送信される複数の帯域幅部分の順序である、ホッピングパターンインジケータを受信するトランシーバを含む。通信デバイスは、動作中、ホッピングパターンインジケータを評価して、ホッピングパターンを判別する回路を含む。トランシーバは、動作中、ホッピングパターンに従って複数のＴＴＩ内で信号を受信又は送信する。
【０００６】
なお、一般的な実施形態又は特定の実施形態は、システム、方法、集積回路、コンピュータプログラム、記憶媒体、又はこれらの任意の選択的な組み合わせとして、実現可能であることに留意されたい。
【０００７】
開示されている実施形態の更なる恩恵及び利点は、本明細書及び図面から明らかになるであろう。これらの恩恵及び／又は利点は、本明細書及び図面の様々な実施形態及び特徴によって個別に得られることが可能である。ただし、このような恩恵及び／又は利点のうちの１つ以上を得るために、これらの特徴全てを設ける必要はない。
【図面の簡単な説明】
【０００８】
【図１】３ＧＰＰ  ＮＲシステムについての例示的なアーキテクチャの概略図。
【図２】ＬＴＥ  ｅＮＢ、ＮＲ  ｇＮＢ、及びＵＥについての例示的なユーザ及び制御プレーンアーキテクチャのブロック図。
【図３】大規模マシンタイプ通信（ｍＭＴＣ）及び超高信頼性低レイテンシ通信（ＵＲＬＬＣ）の利用シナリオを示す概略図。
【図４】通信デバイス及び基地局のブロック図。
【図５】繰り返しについての帯域幅部分ホッピングパターンの概略図。
【図６】再送についての帯域幅部分ホッピングパターンの概略図。
【図７】複数のＤＣＩ（ダウンリンク（下りリンク）制御情報）内でシグナリングされる帯域幅部分ホッピングパターンの概略図。
【図８Ａ】ダウンリンク上で、データを受信するための方法及びデータを送信するための方法のフローチャート。
【図８Ｂ】アップリンク（上りリンク）上で、データを送信するための方法及びデータを受信するための方法のフローチャート。
【発明を実施するための形態】
【０００９】
信頼性に関するＵＲＬＣＣのスコープは、高信頼性を目標とするＣＱＩ（チャネル品質指標）及びＭＣＳ（変調・符号化方式）テーブル設計の仕様を含む。Ｎ個の別個のＣＱＩテーブルが、ＵＲＬＬＣのためにサポートされる。具体的には、Ｎの値は、１と２との間で少ない範囲で選択される。２つの目標ＢＬＥＲ（ブロック誤り率）が、ＵＲＬＬＣのためにサポートされる。ＲＲＣ（無線リソース制御）シグナリングが、２つの目標ＢＬＥＲのうちの１つを選択するために、ｇＮＢ(ｇＮｏｄｅＢ、ＬＴＥ(ロングタームエボリューション)のｅＮｏｄｅＢ(発展型ＮｏｄｅＢ）に対応する、ＮＲにおける基地局の例示的な名称）によって使用される。目標ＢＬＥＲ又はＣＱＩテーブルの構成は、ＣＳＩ（チャネル状態情報）報告設定の一部である。
【００１０】
更に、利得が識別される場合、次のことが指定される：第１に、ＤＣＩフォーマット０−０及びＤＣＩフォーマット１−０ユニキャストデータよりも小さいＤＣＩペイロードサイズを有する１つの新しいＤＣＩ(ダウンリンク制御情報）フォーマット（又は複数の新しいＤＣＩフォーマット）の定義；第２に、所与のキャリアについて、同じ又は複数のＣＯＲＥＳＥＴ（構成リソースセット；configuration resource set）及びサーチスペースの同じ又は複数のＰＤＣＣＨ（物理ダウンリンク制御チャネル）モニタリング機会にわたるＰＤＣＣＨ繰り返し；及び、第３に、（ＵＬ（アップリンク）  ＵＥ（ユーザ機器）プリエンプションの潜在的な必要性を含む）異なる信頼性要件を伴う伝送のＵＬ多重化の処理。
【００１１】
上述したＵＲＬＬＣの信頼性のスコープは限られている。しかしながら、将来のＲＡＮ１の議論では、スコープがより広くなり、信頼性に関連する他の側面が考慮される。
【００１２】
背景技術のセクションで提示されているように、３ＧＰＰは、最大１００ＧＨｚまでの範囲の周波数で動作する新しい無線アクセス技術（ＮＲ）の開発を含む、単に５Ｇと称される、第５世代セルラー技術についての次のリリースに取り組んでいる。３ＧＰＰは、緊急の市場ニーズ及びより長期的な要件の両方を適時に満たすＮＲシステムを成功裏に標準化するために必要とされる技術コンポーネントを特定して開発しなければならない。これを達成するために、無線インタフェース及び無線ネットワークアーキテクチャの発展が、検討項目「New Radio Access Technology（新しい無線アクセス技術）」において考慮される。結果及び合意事項が、技術報告書ＴＲ  ３８．８０４  ｖ１４．０．０に収集されている。
【００１３】
とりわけ、システムアーキテクチャ全般に関する暫定的な合意事項が存在している。ＮＧ−ＲＡＮ（次世代−無線アクセスネットワーク）は、ｇＮＢを含み、これは、ＮＧ−無線アクセスユーザプレーン、ＳＤＡＰ/ＰＤＣＰ/ＲＬＣ/ＭＡＣ/ＰＨＹ(サービスデータ適応プロトコル／パケットデータコンバージェンスプロトコル／無線リンク制御／メディアアクセス制御／物理）、及び制御プレーン、ＵＥに向かうＲＲＣ（無線リソース制御）プロトコル終端を提供する。ＮＧ−ＲＡＮアーキテクチャは、ＴＳ  ３８．３００  ｖ．１５．０．０、セクション４に基づいて図１に示されている。ｇＮＢは、Ｘｎインタフェースによって、互いに相互接続される。ｇＮＢはまた、次世代（ＮＧ）インタフェースによって、ＮＧＣ(次世代コア）に、より具体的には、ＮＧ−Ｃインタフェースによって、ＡＭＦ(アクセス及びモビリティ管理機能）（例えば、ＡＭＦを実行する特定のコアエンティティ）に、ＮＧ−Ｕインタフェースによって、ＵＰＦ(ユーザプレーン機能）（例えば、ＵＰＦを実行する特定のコアエンティティ）に、接続される。
【００１４】
例えば、３ＧＰＰ  ＴＲ  ３８．８０１  ｖ１４．０．０に反映されているように、様々な異なる配備シナリオが、サポートされるために現在議論されている。例えば、非集中配備シナリオ（ＴＲ  ３８．８０１のセクション５．２；集中配備はセクション５．４に示されている）がそこに提示されており、そこでは、５Ｇ  ＮＲをサポートする基地局を配備することができる。図２は、例示的な非集中配備シナリオを示しており、前述のＴＲ  ３８．８０１の図５．２．−１に基づきつつ、ｇＮＢ及びＬＴＥ  ｅＮＢの両方に接続されるユーザ機器（ＵＥ）とＬＴＥ  ｅＮＢとを追加的に示している。前述したように、ＮＲ  ５Ｇのための新しいｅＮＢは、ｇＮＢと例示的に称されることがある。
【００１５】
また、上述したように、第３世代パートナーシッププロジェクト新無線（３ＧＰＰ  ＮＲ）では、ＩＭＴ−２０２０によって多種多様なサービス及びアプリケーションをサポートすることが想定されている３つのユースケースが考慮されている（勧告ＩＴＵ−Ｒ  Ｍ．２０８３：ＩＭＴビジョン−「Framework and overall objectives of the future development of IMT for 2020 and beyond（２０２０年以降のＩＭＴの将来開発についての枠組及び目的）」、２０１５年９月を参照されたい）。拡張モバイルブロードバンド（ｅＭＢＢ）のフェーズ１についての仕様は、２０１７年１２月に３ＧＰＰによって最近確定された。ｅＭＢＢサポートを更に拡張することに加えて、将来の作業は、超高信頼性低レイテンシ通信（ＵＲＬＬＣ）及び大規模マシンタイプ通信についての標準化を伴うであろう。（勧告ＩＴＵ−Ｒ  Ｍ．２０８３からの）図３は、２０２０年以降のＩＭＴの想定される利用シナリオのいくつかの例を示している。
【００１６】
ＵＲＬＬＣユースケースは、スループット、レイテンシ、及びアベイラビリティ等の能力に対する厳しい要件を有し、産業製造又は生産プロセスのワイヤレス制御、遠隔外科手術、スマートグリッドにおける配電自動化、輸送安全性等といった将来の垂直応用のためのイネーブラのうちの１つとして想定されている。現在のＷＩＤ（作業項目記述）  ＲＰ−１７２１１５では、ＴＲ  ３８．９１３によって設定された要件を満たす技術を特定することによって、ＵＲＬＬＣについての超高信頼性をサポートすることが合意されている。パケットの１回の伝送に求められる一般的なＵＲＬＬＣ要件は、１ｍｓのユーザプレーンで３２バイトについて１０−５である。ＲＡＮ１の観点から、複数の可能な方法で信頼性を向上させることができる。信頼性を向上させるための現在のスコープは、ＵＲＬＬＣについての別々のＣＱＩテーブルの定義、よりコンパクトなＤＣＩフォーマット、ＰＤＣＣＨの繰り返し等を含むＲＰ−１７２８１７に残されている。しかしながら、ＮＲがより安定して発展することにつれて、スコープは、超高信頼性を達成するために広くなる可能性がある。
【００１７】
ｍＭＴＣのユースケースは、比較的少量の非遅延センシティブデータを通常送信する非常に多数の接続されているデバイスによって特徴付けられる。デバイスは、安価であり、非常に長いバッテリ寿命を有する場合がある。非常に狭い帯域幅部分を利用することは、ＵＥの観点から省電力を有し、ＮＲシステムにおいて長いバッテリ寿命を可能にするための１つの可能なソリューションである。
【００１８】
上述したように、ＮＲにおける信頼性のスコープがより広くなることが予想される。例えば、ＵＲＬＬＣ及びｍＭＴＣに特に必要である全てのケースに対する１つの要件は、高信頼性又は超高信頼性である。無線の観点及びネットワークの観点から信頼性を向上させるために、いくつかのメカニズムが考えられ得る。信頼性を向上させるのに役立つことができる可能性のある領域は少ししかない。これらの領域の中には、コンパクトな制御チャネル情報と、データ／制御チャネル繰り返しと、周波数、時間、及び／又は空間領域に関するダイバーシチと、がある。これらの領域は、特定の通信シナリオにかかわらず、信頼性に適用可能である。
【００１９】
以下の説明において、帯域幅部分（ＢＷＰ：bandwidth part）の概念を利用することによって周波数及び時間におけるダイバーシチを利用し、効率的な方法で関連するシグナリングメカニズムを提示することが提案される。
【００２０】
本開示において、ＮＲにおける信頼性を向上させるための、ＤＬ／ＵＬデータの再送／繰り返しに対する周波数／時間ダイバーシチの利用が考慮される。周波数ダイバーシチ利得を達成し、結果として信頼性を向上させるために、例えば、データチャネル及び制御チャネルの再送及び繰り返しについて、帯域幅部分切り替えを用いることが提案される。特に、ＢＷＰが狭いとき、ＢＷＰ内のダイバーシチ利得は非常に制限される可能性がある。そのような場合、ＢＷＰ間でホッピングを可能にすることによってダイバーシチ利得を増加させることは、極めて有用であり得る。
【００２１】
ＴＳ  ３８．２１１  Ｖ１５．０．０（２０１７−１２）のセクション４．４．５で規定されているように、帯域幅部分（又はキャリア帯域幅部分）は、所与のキャリア上の所与のニューメロロジーについて、４．４．４．２節で規定されている共通リソースブロックの連続サブセットから選択される、４．４．４．３節で規定されている物理リソースブロックの連続セットである。
【００２２】
仕様書ＴＳ  ３８．２１１  Ｖ１５．０．０において、ＵＥは、所与の時間に単一のダウンリンクキャリア帯域幅部分がアクティブである状態で、ダウンリンクにおいて最大４つのキャリア帯域幅部分を有するよう構成されることが可能であると規定されている。ＵＥは、アクティブな帯域幅部分の外で、ＰＤＳＣＨ（物理ダウンリンク共有チャネル）、ＰＤＣＣＨ（物理ダウンリンク制御チャネル）、ＣＳＩ−ＲＳ（チャネル状態情報の推定のためのダウンリンク参照信号）、又はＴＲＳ（チャネルの時間及び周波数ファイントラッキングのためのトラッキング参照信号）を受信する見込みはない。
【００２３】
この仕様書において、ＵＥは、所与の時間に単一のアップリンクキャリア帯域幅部分がアクティブである状態で、アップリンクにおいて最大４つのキャリア帯域幅部分を有するよう構成されることが可能であると更に規定されている。ＵＥが、補助アップリンクを有するよう構成される場合、ＵＥは、更に、所与の時間に単一の補助アップリンクキャリア帯域幅部分がアクティブである状態で、補助アップリンクにおいて最大４つのキャリア帯域幅部分を有するよう構成されることが可能である。ＵＥは、アクティブな帯域幅部分の外で、ＰＵＳＣＨ又はＰＵＣＣＨを送信しない。
【００２４】
ニューメロロジーは、サブキャリア間隔及びサイクリックプレフィックス（ＣＰ）によって規定される。リソースブロックは、一般に、周波数領域における１２個の連続するサブキャリアとして規定される。物理リソースブロック（ＰＲＢ）は、ＢＷＰ内で番号付けられ、ＢＷＰのＰＲＢ番号付けは、０から開始する。
【００２５】
ＢＷＰのサイズは、１ＰＲＢという最小サイズからシステム帯域幅の最大サイズまで変わり得る。現在、最大４つのＢＷＰが、所与のＴＴＩ(送信時間間隔）内で単一のアクティブなダウンリンク及びアップリンクＢＷＰを有するよう、各ＤＬ(ダウンリンク）及びＵＬ(アップリンク）についての上位レイヤパラメータによって設定されることが可能である。しかしながら、本開示は、ＵＥが最大４つの帯域幅部分を有するよう構成されるという、ＴＳ  ３８．２１１で規定されているケースに限定されるものではない。帯域幅部分の数は、アップリンク及び／又はダウンリンクにおいて４より大きくてもよい。例えば、ＵＥは、８つのＢＷＰを有するよう構成されてもよい。
【００２６】
ＴＴＩ（送信時間間隔）は、スケジューリング割当てのためのタイミング粒度を定める。１ＴＴＩは、所与の信号が物理レイヤにマッピングされる時間間隔である。ＴＴＩ長は、１４シンボル（スロットベースのスケジューリング）から２シンボル（非スロットベースのスケジューリング）まで変わり得る。ダウンリンク伝送及びアップリンク伝送は、１０個のサブフレーム（１ｍｓの持続時間）からなるフレーム（１０ｍｓの持続時間）に編成されるように指定される。スロットベースの伝送では、サブフレームが、代わりに、スロットに分割され、スロットの数は、ニューメロロジー／サブキャリア間隔によって規定され、指定される値は、１５ｋＨｚというサブキャリア間隔についての１０スロットと２４０ｋＨｚというサブキャリア間隔についての３２０スロットとの間の範囲にある。１スロットあたりのＯＦＤＭシンボルの数は、通常のサイクリックプレフィックスについては１４であり、拡張サイクリックプレフィックスについては１２である（３ＧＰＰ  ＴＳ  ３８．２１１  Ｖ１５．０．０（２０１７−１２）のセクション４．１（general frame structure（一般フレーム構造））、４．２（Numerologies（ニューメロロジー））、４．３．１（frames and subframes（フレーム及びサブフレーム））、及び４．３．２（slots（スロット））を参照されたい）。しかしながら、伝送は、非スロットベースであってもよい。非スロットベースの通信では、ＴＴＩの最小の長さは、２ＯＦＤＭシンボルであり得る。
【００２７】
ＮＲにおけるＢＷＰ概念は、より小さいデータパケットについては比較的小さいアクティブな帯域幅の動的な設定を可能にすることであり、このことは、ＵＥについて省電力を可能にする。なぜならば、小さいアクティブなＢＷＰでは、ＵＥは、伝送のためにより少ない周波数を使用する又はより少ない周波数をモニタリングする必要があるからである。
【００２８】
ＬＴＥ技術では、ダイバーシチ利得を達成し、結果として、カバレッジ及び信頼性を向上させるために、周波数ホッピングが使用されている。周波数ホッピングも、ＵＲＬＬＣについて信頼性を向上させる潜在的な方法のうちの１つとして議論されている。ＮＲでは、アクティブなＢＷＰ内の周波数ホッピングは、ＰＵＳＣＨ（物理アップリンク共有チャネル）及びＰＵＣＣＨ（物理アップリンク制御チャネル）に使用されることにすでに合意されている。本開示は、全体的な信頼性を向上させるために、ダイバーシチを更に利用し、繰り返し及び再送等の他のメカニズムと組み合わせる方法を提案する。
【００２９】
ユーザ機器用のアクティブな帯域幅部分（例えば、ＴＴＩ内での信号の送信及び受信のためにＵＥによって使用される帯域幅部分）は、設定されているＢＷＰ間で切り替え可能である。例えば、現在の必要性に応じて、アクティブなＢＷＰは、より大きなＢＷＰに切り替えられることもあるし、ＵＥについてバッテリ電力を節約するために、より小さなＢＷＰに切り替えられることもある。これは、次のＴＴＩ内で使用されるアクティブなＢＷＰのＤＣＩ内の動的指示によって可能である。ＤＣＩは、ダウンリンク及びアップリンクスケジューリング情報（例えば、リソース割当て及び／又はグラント）、非周期的ＣＱＩ報告を求める要求、又は１つのセル及び１つのＲＮＴＩについてのアップリンク電力制御コマンドを運ぶ。ＤＣＩ符号化は、情報要素多重化、ＣＲＣ（Cyclic Redundancy Check）アタッチメント、チャネル符号化、及びレートマッチングを含む。ＤＣＩは、ＭＣＳ、冗長バージョン、又はＨＡＲＱプロセス番号等の送信パラメータを運ぶ。ＤＣＩは、異なるタイプの制御情報又は制御パラメータを運ぶいくつかのフィールド（例えば、ビットフィールド／ビットマップ）からなる。あるパラメータの位置とそれぞれのパラメータを符号化するビットの数とは、ＤＣＩを送信する基地局及びＤＣＩを受信するＵＥに知られている。
【００３０】
しかしながら、アクティブなＢＷＰのこのような切り替えは、レイテンシを増加させる。なぜならば、ＵＥは、ＤＣＩを復号し、次いで、新しいアクティブなＢＷＰへのハードウェアチューニングを開始する必要があるからである。異なる周波数／ＢＷＰ上のチャネル特性が、当該チャネル特性が著しく変化しない十分に小さな期間において利用される場合に、ダイバーシチは特に有用であるので、この増加したレイテンシは、ダイバーシチの利点に反して作用し得る。したがって、レイテンシの増加に起因して、ダイバーシチによって達成される利得が制限される可能性がある。
【００３１】
アップリンク及びダウンリンクの両方における一連の送信（例えば、繰り返し又は再送）のために、設定されているＢＷＰ間でホッピングし、たった１つのアクティブなＢＷＰの代わりにホッピングパターンをシグナリングすることによって周波数ダイバーシチを利用することが、本開示の提案である。単一のＢＷＰではなく、ＢＷＰホッピングパターンをシグナリングすることによって、上述したレイテンシの問題に対処する。更なるビットを追加し、それによってＤＣＩオーバーヘッドを増大させるのではなく、ＤＣＩ内の既存のＢＷＰ関連ビット（例えば、単一のアクティブなＢＷＰを示すのに現在使用されているビット）を利用することが更に提案される。これは、ＤＣＩをコンパクトに保つことを可能にし、このことは、信頼性の観点から望ましい。
【００３２】
概して、本開示は、基地局４１０から／に信号を受信又は送信するための通信デバイス４６０と、通信デバイス４６０に／から信号を送信又は受信するための基地局４１０と、を提供する。通信デバイス４６０及び基地局４１０は、図４に示されている。本開示は、図８Ａに示されている、通信デバイスによって実行される、基地局から／に信号を受信又は送信するための方法と、図８Ｂに示されている、通信デバイスに／から信号を送信又は受信するための方法と、を更に提供する。以下において、これらの装置及び方法が説明される。
【００３３】
概して、通信デバイス４６０は、複数の帯域幅部分のうちの少なくとも１つの帯域幅部分にて、ワイヤレス通信システムにおいて信号を受信又は送信するよう構成されている。例えば、通信デバイスは、動作中、信号を受信又は送信する（本開示において、所与のタスクを実行するよう構成されているデバイス又はデバイスに含まれるユニットが「動作中」所与のタスクを実行すると記載される）。ここで、上述したように、帯域幅部分は、少なくとも１つの物理リソースブロックによって形成される。通信デバイス４６０は、基地局からホッピングパターンを受信するよう構成されているトランシーバ４７０を備える。ホッピングパターンは、信号が複数の送信時間間隔（ＴＴＩ）内で受信又は送信される複数の帯域幅部分の順序である。通信デバイスは、動作中、ホッピングパターンインジケータを評価して、ホッピングパターンを判別する回路４８０を更に備える。トランシーバ４７０は、動作中、更に、ホッピングパターンに従って複数のＴＴＩ内で信号を受信又は送信する。
【００３４】
基地局４１０は、複数の帯域幅部分のうちの少なくとも１つの帯域幅部分にて、ワイヤレス通信システムにおいて通信デバイス４６０に／から信号を送信又は受信するよう構成されている。帯域幅部分は、少なくとも１つの物理リソースブロックによって形成される。基地局４１０は、動作中、ホッピングパターンを規定する回路４３０を備える。ホッピングパターンは、信号が複数の送信時間間隔ＴＴＩ内で送信又は受信される複数の帯域幅部分の順序である。回路４３０は、更に、ホッピングパターンインジケータを生成する。基地局４１０は、動作中、通信デバイス４６０にホッピングパターンインジケータを送信するトランシーバ４２０を更に備える。トランシーバ４２０は、動作中、更に、ホッピングパターンに従って複数のＴＴＩ内で信号を送信又は受信する。
【００３５】
図４に示されているように、基地局４１０及び通信デバイス４６０は、ワイヤレスチャネル４５０（例えば、無線チャネル）を介してワイヤレス通信システムにおいて通信する。ワイヤレス通信システムは、５Ｇの技術仕様に従った通信システム、具体的にはＮＲ通信システムであってよい。したがって、基地局は、ＬＴＥのｅＮｏｄｅＢ又はその変形（「ＨｅＮｏｄｅＢ」、「ＭｅＮｏｄｅＢ」）に対応する「ｇＮＢ」又は「ｇＮｏｄｅＢ」であってよい。通信デバイス４６０は、移動電話機／スマートフォン、タブレットＰＣ、又はラップトップコンピュータ等のユーザデバイス、ユーザ機器（ＵＥ）、又は移動局であってよい（用語「ＵＥ」又は「ユーザ機器」は、概して、通信デバイスの代替として使用される）。更に、特に、ＵＲＬＬＣ、ｅＭＢＢ、及びｍＭＴＣのユースケースに関して、通信デバイスは、センサデバイス、ウェアラブルデバイス、若しくはコネクテッドカー、又は産業工場における自動化された機械のコントローラであってもよい。更に、通信デバイス４６０は、基地局４１０と別の通信デバイスとの間の中継器として機能することができてもよい（例えば、本開示は、通信「端末」又はユーザ「端末」に限定されるものではない）。
【００３６】
本開示において、用語「トランシーバ」は、通信デバイス４６０又は基地局４１０がそれぞれワイヤレスチャネル４５０を介して無線信号を送信及び／又は受信することを可能にするハードウェアコンポーネント及びソフトウェアコンポーネントに対して使用される。したがって、トランシーバは、受信機、送信機、又は受信機と送信機との組み合わせに対応する。通常、基地局及び通信デバイスは、無線信号を送信するとともに受信することができると想定される。しかしながら、特に、図３に示されているｅＭＢＢ、ｍＭＴＣ、及びＵＲＬＬＣのいくつかの用途（スマートホーム、スマートシティ、産業自動化等）に関しては、センサ等のデバイスが信号を受信するだけであるケースが考えられる。更に、用語「回路」は、１つ以上のプロセッサ又は処理ユニット等によって形成される処理回路を含む。
【００３７】
本開示は、アップリンク及びダウンリンクの両方のシグナリングに適用可能である。一方、ダウンリンクの場合、基地局４１０が、通信デバイス４６０が受信する信号を通信デバイスに送信する。したがって、ダウンリンクシグナリングについてのホッピングパターンは、後続のＴＴＩ内で基地局４１０及び通信デバイス４６０がそれぞれで信号を送信及び受信する帯域幅部分の順序である。一方、アップリンクの場合、通信デバイス４６０は、基地局４１０が受信する信号を送信する。したがって、アップリンクシグナリングについてのホッピングパターンは、後続のＴＴＩ内で通信デバイス４６０が信号を送信し基地局４１０が信号を受信する帯域幅部分の順序である。
【００３８】
ホッピングパターンは、一連のＴＴＩにわたって信号がそれぞれ送信及び受信される帯域幅部分の順序、例えば、時間的な順序又はシーケンスである。信号は、データ又は制御情報の繰り返し又は再送等の複数回の伝送を含む（繰り返し及び再送は、以下においてより詳細に説明される）。したがって、ホッピングパターンは、信号が送信／受信される複数のＴＴＩの各ＴＴＩを、それぞれのユーザデバイス及びそれぞれのリンク（例えば、アップリンク又はダウンリンク）用に設定されているＢＷＰのうちの１つのＢＷＰに割当てる（マッピングする）。換言すれば、ＢＷＰホッピングパターンは、ＢＷＰとＴＴＩとの間のマッピングであり、複数のＢＷＰのうちのＢＷＰは、複数のＴＴＩのうちの１つのＴＴＩにマッピングされる。前のＴＴＩから、ＢＷＰホッピングパターンによってＢＷＰが割当てられている次の／後続のＴＴＩまでに、アクティブなＢＷＰは、前のＢＷＰから次のＢＷＰに切り替えられる。信号がＢＷＰホッピングパターンに従って送信される後続のＴＴＩは、時間的に連続している必要はない。例えば、ＢＷＰホッピングパターンのＴＴＩ、例えば、ホッピングパターンによってＢＷＰがマッピングされるＴＴＩは、時間領域において隣り合う（例えば、連続している)ＴＴＩである必要はない。
【００３９】
アクティブなＢＷＰ内の周波数ホッピングは、ＰＵＳＣＨ及び／又はＰＵＣＣＨに使用され得ることが言及されている。したがって、ＢＷＰ内では、周波数ホッピングは、所与のＴＴＩ内のシンボルにわたってＰＲＢスケールで適用され得る。例えば、ＰＲＢスケールで周波数ホッピングを適用するとき、ホッピングパターンは、ＰＲＢの部分とＴＴＩ内のシンボル又はシンボルグループとの間のマッピングを規定することができる。例えば、７シンボルのＴＴＩがある場合、ＴＴＩの最初の４シンボルは、ＰＲＢの前半にＰＵＳＣＨ及び／又はＰＵＣＣＨを有することができ、ＴＴＩの最後の３シンボルは、アクティブなＢＷＰ内でＰＲＢの後半にＰＵＳＣＨ及び／又はＰＵＣＣＨを有することができる。しかしながら、本開示に記載のＢＷＰホッピングは、周波数ホッピングに加えて又は代替として、実行されてもよい。
【００４０】
ダウンリンクシグナリングについてのホッピングパターンの一例が、図５に示されており、ここでは、ホッピングパターンは、４つの後続のＴＴＩ内での信号の伝送を、それぞれの帯域幅部分に割当てる。（ＢＷＰ１、ＢＷＰ２、ＢＷＰ３、ＢＷＰ４と表記されている）４つのＢＷＰは、信号を送信又は受信する通信デバイス用に設定されていると仮定する。４つのＴＴＩのうちの１番目のＴＴＩ内では、伝送はＢＷＰ１にて行われ、２番目のＴＴＩ内では、伝送はＢＷＰ４にて行われ、３番目のＴＴＩ内では、伝送は再度ＢＷＰ１にて行われ、ＴＴＩのうちの４番目のＴＴＩ内では、ＢＷＰ３が使用される。ホッピングパターンは、ホッピングパターンインジケータによって指定される。図に示されているように、ホッピングパターンインジケータは、例えば、４つのＴＴＩのうちの１番目のＴＴＩ内で送信される。具体的には、１番目のＴＴＩ内では、信号は、ＰＤＣＣＨ及びＰＤＳＣＨの両方を含み、ホッピングパターンインジケータは、ＰＤＣＣＨに含まれる（例えば、ＰＤＣＣＨは、ＴＴＩの時間的に最初の２ＯＦＤＭシンボルに含まれ、残りのシンボルにおいてＰＤＳＣＨが続く）。具体的には、示されている例において、ホッピングパターンインジケータは、ＰＤＣＣＨによって運ばれるＤＣＩに含まれる。図において、これは、後続のＴＴＩ内でそれぞれ使用されるＢＷＰを指し示す矢印によって記号化されている。通信デバイスは、１番目のＴＴＩから、通信デバイスがそれぞれのＴＴＩ内で信号を受信する帯域幅部分を知る。よって、１番目のＴＴＩに続くＴＴＩ内では、ＢＷＰ指示は必要とされない。したがって、残りのＴＴＩ内では、ＰＤＳＣＨはそれぞれ伝送されるが、ＰＤＣＣＨは伝送されない。
【００４１】
図５に示されているように、２つの後続のＴＴＩの間にＢＷＰホッピング時間（又はＢＷＰ切り替え時間）が存在する。このようなホッピング時間は、ＬＴＥシステムには存在しない。しかしながら、別のＢＷＰに対して通信デバイス（例えば、フィルタ及び発振器等のハードウェア）を再較正するために、ホッピング時間が必要とされる。例えば、帯域幅が１００ＭＨｚであり、通信デバイスの切り替え先又は切り替え元のＢＷＰである場合、ホッピング時間又は切り替え時間は、百マイクロ秒又は数百（２００〜３００）マイクロ秒であり得る。例えば、フィルタの分解能に応じて、異なる通信デバイス／ユーザ機器は、異なるホッピング／切り替え時間を可能にすることができる。したがって、基地局は、基地局によってサービングされているセルに現在登録されている通信デバイスに応じて、ホッピング時間を規定することができる。
【００４２】
例えば、ホッピングパターンインジケータは、以下の表１に示されているようなビットマップであってよい。
【表１】
2021515441.tif 000003
【００４３】
表１から分かるように、特定のホッピングパターンは、全ての設定されているＢＷＰを含む必要はない（例えば、インデックスが０であるホッピングパターンは、ＢＷＰ２及びＢＷＰ３を含まない）。また、同じＢＷＰが、複数のＴＴＩのうちの少なくとも２つのＴＴＩにマッピングされてもよい（例えば、インデックスが０であるホッピングパターン及びインデックスが２であるホッピングパターンにおけるＢＷＰ１）。表１に示されているような２ビットホッピングパターンインジケータを使用することは有利である。なぜならば、３ＧＰＰ  ＴＳ  ３８．２１２  Ｖ１５．０．０（２０１７−１２）において指定されており、（ＴＳ  ３８．２１２、表７．３．１．１．２−１からの）表２に示されている、通信デバイス用に設定されている４つのアクティブなＢＷＰのうちの単一のアクティブなＢＷＰを示すためにも、２ビットが必要とされるからである。具体的には、表２に示されているＢＷＰインジケータが、１つのセル内のＰＵＳＣＨ（物理アップリンク共有チャネル）のスケジューリングに使用されるＤＣＩフォーマット０＿１と１つのセル内のＰＤＳＣＨのスケジューリングに使用されるＤＣＩフォーマット１＿１とについて現在指定されている。表から分かるように、１ビットインジケータ及び２ビットインジケータは、設定されているＢＷＰの数（例えば、２つ、又は、可能な将来の仕様では３つ以上）に応じて指定される。フィールドのビット幅は、例えば、指定された上位レイヤパラメータＢａｎｄｗｉｄｔｈＰａｒｔ−Ｃｏｎｆｉｇ(ＤＣＩフォーマット０＿１及び１＿１については、それぞれ、セクション７．３．１．１．２及び７．３．１．２．２を参照されたい）を使用して、準静的にシグナリングされ得る。
【表２】
2021515441.tif 000004
【００４４】
したがって、アクティブなＢＷＰを示す帯域幅部分インジケータではなく、ホッピングパターンインジケータがシグナリングされる場合、ＢＷＰホッピングパターンは、単一のアクティブなＢＷＰと同じビット数で示され得る。例えば、ＢＷＰシグナリングのための追加のビットは必要とされない。更に、ホッピングパターンは、周波数ダイバーシチを提供するが、上述したように、ホッピングパターン復号が１番目のＴＴＩ内でのみ通信デバイスによって実行される必要があるので、ＢＷＰ切り替えに起因するレイテンシの増加は軽減され得る。
【００４５】
２ビットマップホッピングパターンインジケータは、ホッピングパターンとして複数のＴＴＩにそれぞれ割当てられている複数（例えば、２つ又は４つ）の異なるＢＷＰの全ての可能な順序（シーケンス）を表すことができないので、全ての可能な組み合わせの中からホッピングパターンの選択が行われる必要がある。有利なことに、周波数ダイバーシチを利用するためには、２つの後続のＴＴＩ内で使用されるＢＷＰは、互いから十分に離隔されるべきであり、例えば、これらは、互いの間に十分に大きな帯域幅間隔を有するべきである。
【００４６】
図５は、ダウンリンク伝送のケースを示しているが、本開示は、アップリンク伝送についてＢＷＰホッピングパターンを使用することにも適用可能である。具体的には、ダウンリンク伝送及びアップリンク伝送について、周波数スペクトルのそれぞれ異なる部分が存在してよい。更に、ＤＬ用に設定されている各ＢＷＰについて、アップリンク伝送のための対応するＢＷＰが存在してよい。したがって、同一のホッピングパターンインジケータが、ダウンリンク上のＢＷＰ又はアップリンク上の対応するホッピングパターンのいずれかに使用されてよい。代替として、ＢＷＰホッピングパターンを示すインデックスは、アップリンク及びダウンリンクのためのＢＷＰの異なるそれぞれの順序を指定してもよい。更に、ＤＬ用に設定されているＢＷＰ及びＵＬ用に設定されているＢＷＰは、周波数スペクトルにおける相対的な位置に関して又は帯域幅に関して、それぞれ異なってもよい。
【００４７】
図５を参照して上述したように、ホッピングパターンインジケータは、例えば、ＰＤＣＣＨを介してシグナリングされるＤＣＩに含まれ得る。ＰＤＣＣＨは、ＤＣＩが運ばれる物理チャネル（物理リソースのセット）である。ＤＣＩは、物理チャネルのブラインド復号によって、通信デバイスによって取得／復号される。したがって、いくつかの実施形態において、基地局の回路４３０は、動作中、ホッピングパターンインジケータを含むＤＣＩを生成する。基地局のトランシーバ４２０は、通信デバイス４６０のトランシーバ４７０が受信する、ホッピングパターンインジケータを含むＤＣＩを送信する。
【００４８】
上述したように、本開示の信頼性は、例えば、ＵＲＬＬＣのユースケースにおいて特に関連する。以下において、例示的な実施形態として、ＮＲにおけるＵＲＬＬＣのためのシグナリングメカニズムの詳細が説明される。ここで、ＤＣＩは、一般的に帯域幅部分に関連するフィールドを含むと仮定する。
【００４９】
第１のステップとして、ＵＲＬＬＣ関連ＤＣＩは、ＲＮＴＩ（無線ネットワーク一時識別子）によって識別され得る。そして、次のステップとして、通信デバイス４６０（例えば、処理回路４８０）は、ＤＣＩ内のＢＷＰ関連フィールドを解釈する。ＤＣＩがＵＲＬＬＣ関連ＤＣＩではないと通信デバイス４６０（回路４８０）が判定した場合、回路４８０は、表２に示されているように、ＢＷＰ関連フィールドをアクティブなＢＷＰのインジケータとして解釈する。例えば、ＢＷＰ関連フィールドは、信号が少なくとも１つのＴＴＩ内で受信又は送信されるアクティブなＢＷＰを示す帯域幅部分インジケータを運ぶ。しかしながら、ＤＣＩがＵＲＬＬＣに関連すると通信デバイス４６０が識別した場合、通信デバイス４６０は、ＢＷＰ関連ビットフィールドを異なるように解釈する。具体的には、次の送信におけるアクティブなＢＷＰのみをシグナリングする代わりに、ＢＷＰ関連フィールドは、例えば、４つのＢＷＰが設定されている表１に示されているように、ＢＷＰホッピングパターンをシグナリングするものとして解釈される。例えば、ＢＷＰ関連フィールドは、ホッピングパターンインジケータを運ぶ。
【００５０】
この例は、ＵＲＬＬＣのためのシグナリングメカニズムを参照しているが、説明されたメカニズムは、ＵＲＬＬＣに限定されるものではない。代替として、ＢＷＰ関連フィールドは、何らかの他の種類のＤＣＩ、例えば、ｍＭＴＣに関連するＤＣＩが識別される場合にも、ホッピングパターンインジケータとして解釈されてよい。
【００５１】
ＤＣＩ又は上位レイヤシグナリングのいずれかにおいて、追加のＢＷＰ関連シグナリングが必要とされないことは、上述した例示的なシグナリングメカニズムの利点である。しかしながら、このメカニズムは、（単一のアクティブなＢＷＰではなく）ＢＷＰホッピングパターンが、ＵＲＬＬＣにおいて又はシグナリングメカニズムの特定のユースケースにおいて適用されてシグナリングされることを常に必要とする。
【００５２】
本開示は、（ＤＣＩにおける又は上位レイヤシグナリングにおける）ＢＷＰ関連ビットフィールドをＢＷＰインジケータとして解釈する前に、ＤＣＩの種類を識別することに限定されるものではない。例えば、上位レイヤシグナリングは、ＤＣＩ関連ビットフィールドが通信デバイス４６０によってどのように解釈されるべきかを示してもよい。ＢＷＰ使用のより大きな可変性を提供するために、シグナリングメカニズムの異なるバリエーションが、更なる開示において説明される。
【００５３】
例えば、ＢＷＰホッピングパターンは、ＰＤＣＣＨ伝送及びＰＤＳＣＨ伝送の両方に適用されてもよい。ＢＷＰホッピングパターンは、更に、（例えば、信号が、ホッピングパターンが適用されるＴＴＩの各ＴＴＩ内で、ＰＤＣＣＨ及びＰＤＳＣＨを含む場合には）ＰＤＣＣＨ及びＰＤＳＣＨについて同じであってもよい。
【００５４】
いくつかの実施形態において、ＢＷＰホッピングが適用されるか否かを具体的に示すための新しいビットフィールドが、上位レイヤシグナリングに追加される。具体的には、ホッピング存在インジケータが、ＢＷＰ関連フィールド（例えば、上述した例示的なシグナリングメカニズムにおけるＢＷＰ関連フィールドに従った又は類似するＢＷＰ関連フィールド）に加えて、準静的にシグナリングされる。ホッピング存在インジケータは、ホッピングパターンに従って信号が（信号がアップリンク信号であるか又はダウンリンク信号であるかに応じて、基地局４１０及び通信デバイス４６０によって）受信又は送信されるかを示す。ホッピングパターンインジケータは、上位レイヤシグナリングにおいて、具体的には、例えば、プロトコル仕様書３ＧＰＰ  ＴＳ  ３８．３３１  Ｖ０．０．１（２０１７−０３）において規定されているようなＲＲＣ（無線リソース制御）シグナリングにおいて、準静的にシグナリングされる。
【００５５】
例えば、ホッピング存在インジケータは、ＲＲＣにおいて１ビットフィールドとしてシグナリングされてもよい。値「１」は、信号がホッピングパターンに従って送信又は受信されること（ＵＬ又はＤＬ）を示す。例えば、値「１」の場合、例えば表１に示されているように、ＤＣＩ内のフィールドは、ホッピングパターンインジケータを運ぶ。値「０」は、信号がホッピングパターンに従って送信又は受信されないことを示す。値「０」に従って、ＢＷＰ関連フィールドは、信号が少なくとも１つのＴＴＩ内で受信又は送信されるアクティブなＢＷＰを示す（表２に示されているような）ＢＷＰインジケータを運ぶ（もちろん、「０」という値及び「１」という値は例に過ぎず、具体的には、これらは交換可能である）。したがって、ホッピング存在インジケータの値に応じて、通信デバイス４６０の回路４８０は、ＢＷＰ関連ビットフィールドを、ホッピングパターンインジケータ又はＢＷＰインジケータのいずれかとして解釈する。
【００５６】
例えば、ＢＷＰ関連フィールドは、ＤＣＩに含まれてもよい。したがって、基地局４１０の回路４３０は、そのフィールドを含むＤＣＩを生成し、基地局４１０のトランシーバ４２０は、通信デバイス４６０にＤＣＩを送信する。通信デバイス４６０のトランシーバ４７０は、フィールドを含むＤＣＩを受信し、回路４８０は、フィールドを評価／解釈する。信号がホッピングパターンに従って受信又は送信されると回路４８０が判定した場合（ホッピング存在インジケータ値が「１」である場合）、フィールドは、ホッピングパターンインジケータを運び、基地局は、ホッピングパターンに従って信号を受信又は送信する。そうではなく、信号がホッピングパターンに従って受信又は送信されないと回路が判定した場合、ＤＣＩ内のフィールドは、ＢＷＰインジケータを運ぶ。
【００５７】
後者の例において、上位レイヤシグナリングにおけるホッピング存在インジケータが、ＢＷＰホッピングパターンに従ったＢＷＰホッピングが適用されるか否かを示し、特定のホッピングパターンが、ＤＣＩを介して示される。上述したＵＲＬＬＣシグナリングメカニズムに関して、これは、ＢＷＰホッピングがあらゆる送信信号及び受信信号に対して適用される必要はないという利点を提供する。なぜならば、ＢＷＰホッピングの存在が上位レイヤによって設定されているときにのみ、例えば、ＢＷＰホッピングがホッピング存在インジケータによって示されているときにのみ、ＢＷＰホッピングが適用されるからである。更に、ＵＲＬＬＣメカニズムに関して、後者の例は、ＵＲＬＬＣ等の特定のユースケースに限定されるものではなく、したがって、他のシナリオにも適用可能である。これは、通信デバイスの回路４８０が、ホッピング存在インジケータに基づいて、ＤＣＩ内のＢＷＰ関連フィールドが、ホッピングパターンインジケータとして解釈されるか又はＢＷＰインジケータとして解釈されるかを判定するためである。例えば、同じＤＣＩタイプ／フォーマットが、ＢＷＰホッピングとアクティブなＢＷＰの単純な切り替えとの両方に使用されてもよい。
【００５８】
いくつかの他の例示的な実施形態において、ＤＣＩ内でＢＷＰホッピングパターンインジケータをシグナリングするのではなく、全てのＢＷＰホッピングパターン関連シグナリングが、上位レイヤによって準静的に設定される。このことは、ホッピングパターンインジケータも準静的にシグナリングされることを意味する。通信デバイス４６０の回路４８０は、動作中、ホッピング存在インジケータを評価して、ホッピングパターンインジケータがシグナリングされるか否かを判定する。したがって、ホッピングパターンインジケータは、ＲＲＣシグナリングにおいて準静的にシグナリングされる。例えば、ＲＲＣにおけるＢＷＰホッピング関連ビットは、ホッピング存在インジケータを運ぶビットフィールドの後に、ホッピングパターンインジケータを運ぶビットフィールドが続くように、順序付けられる。しかしながら、ホッピングパターンインジケータがシグナリングされないこと、例えば、信号がホッピングパターンに従って受信又は送信されないこと、をホッピング存在インジケータが示す場合、ホッピングパターンインジケータは、上位レイヤシグナリングに含まれない。
【００５９】
例えば、ホッピングパターンがシグナリングされない場合、他のＢＷＰ関連ビットは、ＲＲＣシグナリングに含まれず、ホッピング存在インジケータに続くビットは、ＢＷＰホッピングに関連しない制御情報を運ぶ（この場合、ＲＲＣシグナリングは、ホッピングパターンがシグナリングされなければ、より少ないビットを含み得る）。更に、ホッピングパターンが、ＲＲＣシグナリングにおいてもＤＣＩにおいても、シグナリングされない場合であっても、ＢＷＰインジケータは、ＤＣＩにおいて依然としてシグナリングされてよく、例えば、１つの設定されているＢＷＰから別の設定されているＢＷＰへのアクティブなＢＷＰの切り替えが依然として可能であってよい。あるいは、ＢＷＰホッピングパターンインジケータがシグナリングされず、ＢＷＰホッピングとは別のＢＷＰ切り替えが望まれない場合、ＤＣＩ内のＢＷＰ関連ビットが省略されてもよく、したがって、より短いＤＣＩが、基地局４１０によって送信され、通信デバイスによって受信される。短いＤＣＩは、ＤＣＩ伝送の信頼性にとって有益であり得る。これは、より少ないビットがＤＣＩに含まれる場合、制御チャネル（ＰＤＣＣＨ）のサイズが固定されていれば、ＤＣＩを符号化／復号するために、より低い符号化レートを用いることができるからである。
【００６０】
ＢＷＰホッピングパターンを準静的にシグナリングすることは、増加した数のＢＷＰホッピングパターンを適用することができるという利点を提供する。ホッピングパターンインジケータは、ＤＣＩ内で送信／受信されないので、ＤＣＩを復号する際のレイテンシに影響を及ぼさない。したがって、ホッピングパターンインジケータのサイズは、あまり制限されない形で扱われることが可能であり、ビットマップに含まれるより多くのビットを使用して、より多くのホッピングパターンの指示を提供することができる。更なる代替として、ホッピングパターンインジケータは、上位レイヤシグナリングとＤＣＩとの間で分割されてもよい。例えば、上位レイヤシグナリングにおける１つ以上のビットは、設定されているグループの中からのホッピングパターンのグループを示し、ＤＣＩにおける１ビット又は２ビットは、上位レイヤシグナリングによって示されるグループの中からのホッピングパターンを示す。
【００６１】
いくつかの更なる例示的な実施形態に従うと、ホッピングパターンインジケータは、ＤＣＩに含まれる。通信デバイス４６０のトランシーバ４７０は、動作中、ＤＣＩを受信し、通信デバイス４６０の回路４８０は、ＤＣＩの長さを評価することによって判定する。例えば、ＤＣＩの長さは、ＢＷＰ関連ビットの数に依存し得る。例えば、ＢＷＰ関連ビットが存在しない場合、アクティブなＢＷＰの切り替えもＢＷＰホッピングも適用されない。２つのＢＷＰ関連ビットは、ホッピングパターンが信号の送信／受信に対して適用されることを示し、２つのビットの値は、使用される特定のパターンを示す。更に、２つのビットの解釈は、上述したように、ここでも上位レイヤシグナリングに依存したものであってよく、これらのビットは、ホッピングパターンインジケータ又はＢＷＰインジケータのいずれかとして解釈されてよい。代替として、ＢＷＰ関連ビットの数は、０と１と２との間で変わってもよく、その存在は、ＢＷＰホッピングパターンインジケータがこれらの２つのビットで伝送されることを示し、１つのビットの存在は、２つの設定されているＢＷＰ間のＢＷＰの切り替えが、この１つのビットによって示されることを示す。
【００６２】
信号が、ホッピングパターンに従って複数の後続のＴＴＩ内で、基地局４１０によって送信され、通信デバイス４６０によって受信され、かつ、ホッピングパターンインジケータが、複数の後続のＴＴＩのうちの初期ＴＴＩ（例えば、時間順で複数のＴＴＩのうちの最初のＴＴＩ）内でＰＤＣＣＨを介してシグナリングされるＤＣＩに含まれる場合、初期ＴＴＩの開始時間までに、ホッピングパターンインジケータを含む信号が受信されるＢＷＰが通信デバイス４６０に知られている必要がある。このために、いくつかの例示的な実施形態において、基地局４１０は、信号が初期ＴＴＩ内で受信又は送信される帯域幅部分を指定する初期帯域幅部分インジケータを生成して送信する。通信デバイス４６０のトランシーバは、基地局４１０によって送信された初期ＢＷＰインジケータを受信し、通信デバイス４６０の回路４８０は、初期帯域幅部分インジケータを評価して、信号が初期ＴＴＩ内で受信される帯域幅部分を判別する。トランシーバ４７０は、動作中、更に、複数のＴＴＩ内で信号を受信又は送信し、初期ＴＴＩ内では、信号は、初期ＢＷＰインジケータによって指定されたように受信又は送信される。しかしながら、初期ＢＷＰにおける伝送についてのＢＷＰを示すための追加のシグナリングを回避するために、ＢＷＰホッピングパターンは、これらのＢＷＰホッピングパターンの全てが同じＢＷＰを初期ＴＴＩに割当てる（例えば、表１における全てのホッピングパターンが「ＢＷＰ１」で開始する）ように、選択されてよい。
【００６３】
上述したように、いくつかの実施形態において、アップリンク又はダウンリンクのいずれかで送信／受信される信号は、一連の繰り返し又は再送（例えば、繰り返し又は再送のシーケンス）である。例えば、複数のＴＴＩ内では、同じオリジナル情報（例えば、データ又は制御情報）が、それぞれの送信において同じ（例えば、同一の）情報を繰り返すことによって、又は、データ又は情報の異なるバージョン（例えば、冗長バージョン）を送信することによって、複数の伝送において送信される。
【００６４】
具体的には、一方では、用語「繰り返し」は、同じオリジナル情報を繰り返し送信することを指し、再送は、オリジナルデータ又は制御情報の異なるバージョン、例えば、同じ情報のコピーを送信することを指す。一般に、繰り返しは、要求されずに送信される。すなわち、情報は、異なるＴＴＩ内で予め定められた回数繰り返され、情報が受信機側で成功裏に復号されるときは（例えば、どのＴＴＩ内で成功裏に復号されるかは）、送信機側では知られない（送信機側及び受信機側という用語は、特定の伝送の送信エンティティ又は受信エンティティを示すのに使用され、方向（アップリンク／ダウンリンク）に応じて、それぞれ基地局及び通信デバイスを指す）。
【００６５】
繰り返しのケースが、ダウンリンク伝送の例において図５に示されている。初期ＴＴＩ内では、ＰＤＳＣＨに先立ってＰＤＣＣＨが送信されていることが分かる。この初期ＰＤＣＣＨは、完全な一連の再送を、例えば、初期ＴＴＩ内での最初の送信と後続のＴＴＩ内での後続の繰り返しとを、スケジュールする。更に、ＢＷＰホッピングパターンは、初期ＰＤＣＣＨに含まれるＤＣＩを介してシグナリングされる。この初期ＰＤＣＣＨのほかに、初期送信を含む一連の繰り返しに使用される帯域幅パターンを切り替えることはできない。
【００６６】
一方、用語「再送」は、順方向誤り符号化（ＦＥＣ）によって得られる異なる冗長バージョンの一連の送信を指す。再送は、ＨＡＲＱ（ハイブリッド自動繰り返し要求）を用いて処理され得る。再送は、要求に応じて送信され得る。例えば、送信を受信し、データが成功裏に復号されたかどうかを判定した後、受信側は、受信側が情報を復号できた場合には（肯定的な）応答確認（ＡＣＫ）を返送し、そうではなく受信側が情報を復号できなかった場合には否定的な応答確認（ＮＡＣＫ）を返送することによって、応答する。ＡＣＫの場合、再送は、必要とされず送信されず、ＮＡＣＫの場合、別の冗長バージョンの再送が、ＮＡＣＫに応答して送信される。しかしながら、再送は、ＨＡＲＱ等のフィードバックメカニズムに必ずしも関連付けられない。ＨＡＲＱのない再送、例えば、ＡＣＫ／ＮＡＣＫシグナリングなしの再送が用いられることもある。
【００６７】
上述したように、本開示に従うと、ＢＷＰホッピングパターンのＴＴＩ、例えば、ホッピングパターンによってＢＷＰがマッピングされるＴＴＩは、時間領域における隣り合うＴＴＩである必要はない。例えば、ホッピングパターンに従って送信／受信される信号が、受信機側（ＵＬにおける基地局４１０又はＤＬにおける通信デバイス４６０）がＡＣＫ又はＮＡＣＫをシグナリングするＨＡＲＱプロセスである場合、ＡＣＫ／ＮＡＣＫは、信号の初期又は前の送信後の予め定められた数（例えば、送信機側及び受信機側の両方に知られている数）のＴＴＩであってよい。したがって、ＮＡＣＫの場合、ＮＡＣＫのシグナリングの後に、次の再送が、予め定められた数（又は受信機側及び送信機側の両方に知られている別の予め定められた数）のＴＴＩでシグナリングされる。
【００６８】
再送のケースが図６に示されている。ここで、初期送信及び再送に使用されるＴＴＩの各ＴＴＩ内では、ＰＤＣＣＨ及びＰＤＳＣＨの両方が送信される。ＰＤＣＣＨは、複数のＴＴＩのうちの次のＴＴＩ内での次のそれぞれの再送をスケジュールする。しかしながら、ＢＷＰホッピングパターンは、ＴＴＩのうちの最初のＴＴＩ内で初期ＰＤＣＣＨにおいてのみシグナリングされる。したがって、ＢＷＰ関連ビットは、後続のＴＴＩ内でのＰＤＣＣＨにおけるＤＣＩ内では、必要とされない。
【００６９】
更に、本開示は、単一のホッピングパターンを使用し、単一のホッピングパターンインジケータをシグナリングすることに限定されるものではない。いくつかの例示的な実施形態において、少なくとも２つのホッピングパターンインジケータがシグナリングされる。したがって、基地局４１０の回路４３０は、動作中、第１の信号についての第１のホッピングパターンを示す第１のホッピングパターンインジケータと、第２の信号についての第２のホッピングパターンを示す第２のホッピングパターンインジケータと、を生成する。基地局４１０のトランシーバ４２０は、動作中、通信デバイス４６０に第１のホッピングパターンインジケータ及び第２のホッピングパターンインジケータを送信し、これらが、トランシーバ４７０によって受信される。通信デバイス４６０の回路４８０は、動作中、第１のホッピングパターンインジケータを評価することに加えて、第２のホッピングパターンインジケータを評価して、第２のホッピングパターンを判別する。トランシーバ４７０は、第１のホッピングパターンに従って第１の信号を受信（ＤＬ）又は送信（ＵＬ）し、第２のホッピングパターンに従って第２の信号を受信又は送信する。
【００７０】
ホッピングパターンインジケータのシグナリングとホッピングパターンに従った信号の送信／受信とに関する上述した実施形態は、第１のホッピングパターン及び第２のホッピングパターンに個別に適用されてもよい。第２のホッピングパターンは、例えばＢＷＰ及び／又はＴＴＩに関して、第１のホッピングパターンとは異なる。例えば、第１のホッピングパターンにおけるＢＷＰの順序（例えば、ＢＷＰがＴＴＩにマッピングされる時間的シーケンス）は、第２のホッピングパターンにおけるＢＷＰの順序とは異なってもよい。更に、第２のホッピングパターンにおいてＴＴＩがマッピングされるＢＷＰのうちの少なくとも１つのＢＷＰは、第１のホッピングパターンによってＴＴＩがマッピングされる帯域幅部分とは異なってもよい。また、第１のホッピングパターンは、部分的に又は完全に、第２のＴＴＩとは異なるＴＴＩを参照してもよい。更に、２つのホッピングパターンは、同じリンク／方向（アップリンク又はダウンリンク）を指定してもよいが、第１のホッピングパターンは、ダウンリンク伝送も指定してよく、第２のホッピングパターンは、アップリンク伝送を指定してよい。
【００７１】
また、第１のホッピングパターンインジケータ及び第２のホッピングパターンインジケータは、異なるレベルでシグナリングされてもよい。例えば、第１のホッピングパターンインジケータは、準静的にシグナリングされてよく、第２のホッピングパターンインジケータは、ＤＣＩ内でシグナリングされてよい。代替として、両方のホッピングパターンが、準静的にシグナリングされる、又は、両方のホッピングパターンインジケータが、それぞれのＤＣＩ内でシグナリングされる。
【００７２】
更に、第１のホッピングパターン及び第２のホッピングパターンはそれぞれ、異なるタイプの信号に関連してもよい。具体的には、例えば、第１の信号はデータであってよく、第２のホッピングパターンは制御情報であってよい。例えば、第１のホッピングパターンは、一連のＰＤＳＣＨ送信を指定し、第２のホッピングパターンは、一連のＰＤＣＣＨ送信を指定する。本開示において、「信号」は、データ及び制御情報の両方をカバーする総称である。用語「データ」は、「ペイロード」とも称される、（ＰＨＹよりも上位のレイヤからのヘッダを含む）ユーザデータ等のデータを指すのに使用される。
【００７３】
いくつかの特定の例において、第２のホッピングパターンに従ってシグナリングされる制御情報は、第１のホッピングパターンインジケータを含み、例えば、制御情報は、データシグナリングを指定する第１のホッピングパターンを指定する。具体的には、制御情報は、第１のホッピングパターンインジケータの繰り返し又は再送を含んでもよい。
【００７４】
第２のホッピングパターンが第１のホッピングパターンの繰り返し（例えば、初期送信及び少なくとも１回の再送）を指定する例が図７に示されている。第１のホッピングパターンは、ＰＤＳＣＨ上でシグナリングされるデータ信号の順序を指定する（図において、第２のホッピングパターンＢＷＰ１−＞ＢＷＰ４−＞ＢＷＰ１−＞ＢＷＰ３が、示されている左から２番目のＴＴＩで始まる）。ＰＤＳＣＨ信号についてのホッピングパターンは、図に示されている最も左のＴＴＩ及び左からの２番目のＴＴＩ内でＰＤＣＣＨにおいてシグナリングされるＤＣＩに含まれる。例えば、ホッピングパターンは、初期ＴＴＩ内でＰＤＣＣＨの初期送信において送信され、ホッピングパターンＢＷＰ４−＞ＢＷＰ１を用いて、後続のＴＴＩ内で繰り返される又は再送される（ホッピングパターンインジケータを形成するビット又は完全なＰＤＣＣＨの繰り返し）。ＰＤＣＣＨの初期送信についてのＢＷＰホッピングパターン及びその１回以上の繰り返しは、上位レイヤによって準静的に設定され、ＰＤＳＣＨ再送又繰り返しについてのＢＷＰホッピングパターンは、初期ＰＤＣＣＨにおいてＤＣＩによって動的にシグナリングされる。初期ＰＤＣＣＨ送信と再送との間のＢＷＰホッピングパターン（ＢＷＰ４−＞ＢＷＰ１）は、準静的に設定される。これらのＰＤＣＣＨは、必要に応じて結合され（例えば、ＨＡＲＱ結合され）、次のＰＤＳＣＨ送信及び対応する繰り返し（又は再送）についてＤＣＩを介してＢＷＰホッピングパターンをシグナリングする。異なるホッピングパターンをこのように組み合わせた使用は、信頼性が制御チャネル及びデータチャネル等の異なるチャネルに関して強化されるので、有益であり得る。
【００７５】
図７を参照して上述した例において、２つのホッピングパターンが、互いに相互関連する２つのプロセス（例えば、データシグナリング及びデータシグナリングに関連する制御情報の制御シグナリング）に対して指定される。しかしながら、２つのホッピングパターンはまた、ＰＤＳＣＨ上でシグナリングされる異なるＨＡＲＱプロセス信号等、互いに独立した、同じ通信デバイスのプロセスを規定してもよい。具体的には、上述したように、第１の信号は、第１のＢＷＰホッピングパターンに従って送信／受信されてよく、第２の信号は、第２のホッピングパターンに従って受信されてよい。第１の信号及び第２の信号は、それぞれの一連の再送又は繰り返しであってよい。第１の信号及び第２の信号は、両方とも再送であってもよいし、第１の信号及び第２の信号は、両方とも繰り返しであってもよいし、又は代替として、一方の信号は、一連の繰り返しであってよく、他方の信号は、一連の繰り返しであってよい。
【００７６】
上記の実施形態のうちのいくつかは、ＵＲＬＬＣ及び／又は再送若しくは繰り返しに関連するが、本開示は、これらに限定されるものではなく、提案されている技術は、可能な将来のケースにも適用可能である。これらのユースケースのうちのいくつかは、ｍＭＴＣに関連し得る。マシン通信は、非常に狭い帯域幅部分及び高エネルギー効率のデバイスの構成を必要とすることがある。このようなユースケースにおいて、ＢＷＰホッピングパターンの適用は特に有益であろう。
【００７７】
更に、ホッピングパターンは、それぞれ異なる帯域幅を有する異なるＢＷＰを含んでもよい。例えば、信号の初期送信については、後続の送信に使用される１つ以上のＢＷＰの１つ以上の帯域幅よりも広い帯域幅を有するＢＷＰが使用されてもよい。これは、ＨＡＲＱプロセス等のプロセスにおける必要とされる繰り返し又は再送の数を低減することを容易にすることができる。一方、より狭いＢＷＰは、複数回の再送又は繰り返しが必要とされる場合にのみ、プロセスのためのより大きな帯域幅を必要とするために、より以前の送信に使用されてもよい。更に、異なる通信タイプ及び／又は複数の通信デバイスを含む可能性のある複数の通信プロセスが、ＴＴＩ内で単一のＢＷＰを使用して実行されてもよい。ＢＷＰホッピングを用いて、異なる通信プロセス間の負荷バランシングを容易にすることができる。
【００７８】
現在のＮＲ仕様に従うと、単一のアクティブなＢＷＰが通信デバイス用に設定される。しかしながら、ＮＲ仕様の将来のリリースは、複数のアクティブなＢＷＰを可能にするであろう。したがって、追加のビットがＢＷＰシグナリングのためにすでに規定されている場合、これはまた、ＢＷＰホッピングパターンに起因する追加のオーバーヘッドをもたらすことなく、ＢＷＰホッピングのシグナリングのためにこれらのビットを使用する可能性を広げる。
【００７９】
上述したように、いくつかの例示的な実施形態において、異なるホッピングパターンが、データチャネル（ＰＤＳＣＨ）及び制御チャネル（ＰＤＣＣＨ）等の異なるチャネルに適用されてよい。異なるホッピングパターンのこの適用は、左から２番目のＴＴＩ内で、同じＢＷＰがＰＤＣＣＨ信号及びＰＤＳＣＨ信号の両方を搬送する、図７に示されているケースに限定されるものではない。複数のアクティブなＢＷＰが設定される場合、異なるチャネル上の通信プロセスも、同じＴＴＩ内でそれぞれ異なるＢＷＰにマッピングされることがある。更に、（同じチャネルに属する可能性がある）複数のＨＡＲＱプロセスは、１つ以上のＴＴＩ内で異なるＢＷＰを使用する異なるホッピングパターンを適用することがある。
【００８０】
基地局についての方法及び通信デバイスについての方法が、上述した基地局及び送信機並びにそれらの実施形態に対応する。これらの方法は、ダウンリンク伝送については図８Ａに、アップリンク伝送については図８Ｂに、示されている。
【００８１】
複数のＢＷＰのうちの少なくとも１つのＢＷＰにてワイヤレス通信システムにおいて通信デバイスに／から信号を送信（ダウンリンク）又は受信（アップリンク）するための方法は、それぞれ図８Ａ（ダウンリンク）及び図８Ｂ（アップリンク）の左側に示されており、基地局によって実行される次のステップを含む。ステップＳ８１０において、ホッピングパターンが規定される。ステップＳ８２０において、ホッピングパターンを指定するホッピングパターンインジケータが生成される。ステップＳ８３０において、ホッピングパターンインジケータが通信デバイスに送信される。ダウンリンク方法では、ステップＳ８５０において、信号が、ホッピングパターンに従って通信デバイスに送信される。アップリンクの場合、ステップＳ８６５において、通信デバイスによって送信された信号が、基地局によって受信される。
【００８２】
複数の帯域幅部分のうちの少なくとも１つの帯域幅部分にてワイヤレス通信システムにおいて基地局から／に信号を受信（ダウンリンク）又は送信（アップリンク）するための方法は、それぞれ図８Ａ（ダウンリンク）及び図８Ｂの右側に示されている。方法は、通信デバイスによって実行される次のステップを含む。ステップＳ８４０において、（ステップＳ８３０において基地局によって送信された、）ホッピングパターンを指定するホッピングパターンインジケータが受信される。次いで、ステップＳ８４５において、ホッピングパターンインジケータが評価されて、信号が受信（ダウンリンク）又は送信（アップリンク）されるホッピングパターンが判別される。ダウンリンク方法では、ステップＳ８６０において、（ステップＳ８５０において基地局によって送信された）信号が、ホッピングパターンに従って受信される。アップリンク方法では、ステップＳ８５５において、信号が、ホッピングパターンに従って基地局に送信される。
【００８３】
本開示は、ソフトウェアによって、ハードウェアによって、又はハードウェアと協働するソフトウェアによって、実現可能である。上述した各実施形態の説明において使用されている各機能ブロックは、その一部又は全てを、集積回路等のＬＳＩによって実現可能であり、各実施形態において説明された各プロセスは、その一部又は全てを、同じＬＳＩ又はＬＳＩの組み合わせによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ＬＳＩは、集積度の違いに応じて、ＩＣ、システムＬＳＩ、スーパーＬＳＩ、又はウルトラＬＳＩと称される。しかしながら、集積回路を実現する技術は、ＬＳＩに限定されるものではなく、専用回路、汎用プロセッサ、又は専用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実現可能である。半導体技術又は別の派生技術の進歩の結果として、ＬＳＩが将来の集積回路技術に置き換わる場合、その将来の集積回路技術を使用して機能ブロックを集積化することができる。バイオテクノロジを適用することもできる。
【００８４】
一実施形態において、本開示は、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて基地局から／に信号を受信又は送信するための通信デバイスを提供する。通信デバイスは、動作中、基地局から、ホッピングパターンを指定するホッピングパターンインジケータであって、ホッピングパターンは、信号が複数の送信時間間隔ＴＴＩ内で受信又は送信される複数の帯域幅部分の順序である、ホッピングパターンインジケータを受信するトランシーバを含む。通信デバイスは、動作中、ホッピングパターンインジケータを評価して、ホッピングパターンを判別する回路を更に含む。トランシーバは、動作中、更に、ホッピングパターンに従って複数のＴＴＩ内で信号を受信又は送信する。
【００８５】
例えば、トランシーバは、ホッピングパターンインジケータを含むダウンリンク制御情報ＤＣＩを受信する。
【００８６】
いくつかの実施形態において、トランシーバは、動作中、更に、基地局から、信号がホッピングパターンに従って受信又は送信されるか否かを示すホッピング存在インジケータであって、ホッピング存在インジケータは、準静的にシグナリングされる、ホッピング存在インジケータを受信し、回路は、動作中、更に、ホッピング存在インジケータを評価して、信号がホッピングパターンに従って受信又は送信されるか否かを判定する。
【００８７】
例えば、トランシーバは、動作中、フィールドを含むダウンリンク制御情報ＤＣＩを受信し、信号がホッピングパターンに従って受信又は送信されると回路が判定した場合、フィールドは、ホッピングパターンインジケータを運び、信号がホッピングパターンに従って受信又は送信されないと回路が判定した場合、フィールドは、信号が少なくとも１つのＴＴＩ内で受信又は送信されるアクティブな帯域幅部分を示す帯域幅部分インジケータを運ぶ。
【００８８】
いくつかの実施形態において、トランシーバは、動作中、ホッピングパターンインジケータを含むダウンリンク制御情報ＤＣＩを受信し、回路は、動作中、ＤＣＩの長さを評価して、ホッピングパターンインジケータがシグナリングされるか否かを判定する。
【００８９】
いくつかの例示的な実施形態において、ホッピングパターンインジケータは、準静的にシグナリングされ、回路は、動作中、ホッピング存在インジケータを評価して、ホッピングパターンインジケータがシグナリングされるか否かを判定する。
【００９０】
いくつかの実施形態において、トランシーバは、動作中、更に、初期帯域幅部分インジケータであって、初期帯域幅部分インジケータは、準静的にシグナリングされ、信号が複数のＴＴＩのうちの初期ＴＴＩ内で受信又は送信される帯域幅部分を指定する、初期帯域幅部分インジケータを受信する。回路は、動作中、更に、初期帯域幅部分インジケータを評価して、信号が初期ＴＴＩ内で受信される帯域幅部分を判別する。更に、トランシーバは、動作中、初期帯域幅部分インジケータによって指定された帯域幅部分にて初期ＴＴＩ内で信号を受信又は送信する。
【００９１】
いくつかの例示的な実施形態において、複数のＴＴＩ内で受信又は送信される信号は、一連の繰り返し又は再送である。
【００９２】
更に、いくつかの実施形態において、基地局から受信されるホッピングパターンインジケータは、第１の信号についての第１のホッピングパターンを示す第１のホッピングパターンインジケータである。トランシーバは、動作中、更に、基地局から、第２の信号についての第２のホッピングパターンを指定する第２のホッピングパターンインジケータであって、第２のホッピングパターンは第１のホッピングパターンとは異なる、第２のホッピングパターンインジケータを受信する。回路は、動作中、更に、第２のホッピングパターンインジケータを評価して、第２のホッピングパターンを判別する。トランシーバは、動作中、更に、第２のホッピングパターンに従って第２の信号を受信又は送信する。
【００９３】
例えば、第１の信号はデータであり、第２の信号は制御情報である。
【００９４】
いくつかの特定の例において、制御情報（第２の信号）は、第１のホッピングパターンインジケータの繰り返しを含む。
【００９５】
更に、例えば、第１の信号及び第２の信号は、それぞれの一連の送信又は再送である。
【００９６】
一実施形態において、本開示は、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて通信デバイスに／から信号を送信又は受信するための基地局を提供する。基地局は、動作中、ホッピングパターンであって、ホッピングパターンは、信号が複数の送信時間間隔ＴＴＩ内で送信又は受信される複数の帯域幅部分の順序である、ホッピングパターンを規定し、ホッピングパターンを指定するホッピングパターンインジケータを生成する回路を含む。基地局は、動作中、通信デバイスにホッピングパターンインジケータを送信し、ホッピングパターンに従って複数のＴＴＩ内で信号を送信又は受信するトランシーバを更に含む。
【００９７】
例えば、トランシーバは、ホッピングパターンインジケータを含むダウンリンク制御情報ＤＣＩを送信する。
【００９８】
いくつかの実施形態において、回路は、動作中、更に、信号がホッピングパターンに従って受信又は送信されるか否かを示すホッピング存在インジケータを生成し、トランシーバは、動作中、通信デバイスにホッピング存在インジケータを送信する。ホッピング存在インジケータは、準静的にシグナリングされる。
【００９９】
例えば、トランシーバは、動作中、フィールドを含むダウンリンク制御情報ＤＣＩを送信し、信号がホッピングパターンに従って受信又は送信される場合、フィールドは、ホッピングパターンインジケータを運び、信号がホッピングパターンに従って受信又は送信されない場合、フィールドは、信号が少なくとも１つのＴＴＩ内で受信又は送信されるアクティブな帯域幅部分を示す帯域幅部分インジケータを運ぶ。
【０１００】
いくつかの実施形態において、回路は、動作中、ホッピングパターンインジケータを含むダウンリンク制御情報ＤＣＩであって、ＤＣＩの長さは、ホッピングパターンインジケータがシグナリングされるか否かを示す、ＤＣＩを生成する。
【０１０１】
いくつかの実施形態において、ホッピングパターンインジケータは、準静的にシグナリングされ、ホッピング存在インジケータは、ホッピングパターンインジケータがシグナリングされるか否かを判定する。
【０１０２】
いくつかの実施形態において、回路は、動作中、更に、信号が複数のＴＴＩのうちの初期ＴＴＩ内で受信又は送信される帯域幅部分を指定する初期帯域幅部分インジケータを生成する。トランシーバは、動作中、更に、通信デバイスに初期帯域幅部分インジケータを送信し、初期帯域幅部分インジケータは、準静的にシグナリングされる。更に、トランシーバは、動作中、初期帯域幅部分インジケータによって指定された帯域幅部分にて初期ＴＴＩ内で信号を受信又は送信する。
【０１０３】
いくつかの例示的な実施形態において、複数のＴＴＩ内で受信又は送信される信号は、一連の繰り返し又は再送である。
【０１０４】
更に、いくつかの実施形態において、通信デバイスに送信されるホッピングパターンインジケータは、第１の信号についての第１のホッピングパターンを示す第１のホッピングパターンインジケータである。回路は、動作中、更に、第２の信号についての第２のホッピングパターンを指定する第２のホッピングパターンインジケータであって、第２のホッピングパターンは第１のホッピングパターンとは異なる、第２のホッピングパターンインジケータを生成する。トランシーバは、動作中、更に、通信デバイスに第２のホッピングパターンインジケータを送信する。トランシーバは、動作中、更に、第２のホッピングパターンに従って第２の信号を受信又は送信する。
【０１０５】
例えば、第１の信号はデータであり、第２の信号は制御情報である。
【０１０６】
いくつかの特定の例において、制御情報（第２の信号）は、第１のホッピングパターンインジケータの繰り返しを含む。
【０１０７】
更に、例えば、第１の信号及び第２の信号は、それぞれの一連の送信又は再送である。
【０１０８】
一実施形態において、本開示は、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて基地局から／に信号を受信又は送信するための方法を提供する。方法は、通信デバイスによって実行される以下のステップ、すなわち、基地局から、ホッピングパターンを指定するホッピングパターンインジケータであって、ホッピングパターンは、信号が複数の送信時間間隔ＴＴＩ内で受信又は送信される複数の帯域幅部分の順序である、ホッピングパターンインジケータを受信するステップと、ホッピングパターンインジケータを評価して、ホッピングパターンを判別するステップと、ホッピングパターンに従って複数のＴＴＩ内で信号を受信又は送信するステップと、を含む。
【０１０９】
一実施形態において、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて通信デバイスに／から信号を送信又は受信するための方法が提供される。方法は、基地局によって実行される以下のステップ、すなわち、ホッピングパターンであって、ホッピングパターンは、信号が複数の送信時間間隔内で送信又は受信される複数の帯域幅部分の順序である、ホッピングパターンを規定するステップと、ホッピングパターンを指定するホッピングパターンインジケータを生成するステップと、通信デバイスにホッピングパターンインジケータを送信するステップと、ホッピングパターンに従って複数のＴＴＩ内で信号を送信又は受信するステップと、を含む。
【０１１０】
一実施形態において、実行可能な命令を記憶しているコンピュータ読み取り可能な媒体が提供される。命令は、実行されたときに、基地局から／に信号を受信又は送信するための上記の方法のステップを通信デバイスに実行させる。
【０１１１】
一実施形態において、実行可能な命令を記憶しているコンピュータ読み取り可能な媒体が提供される。命令は、実行されたときに、通信デバイスに／から信号を送信又は受信するための上記の方法のステップを基地局に実行させる。
【０１１２】
まとめると、本開示は、複数の帯域幅部分のうちの少なくとも１つの帯域幅部分であって、帯域幅部分は、少なくとも１つの物理リソースブロックによって形成される、少なくとも１つの帯域幅部分にて、ワイヤレス通信システムにおいて基地局から／に信号を受信又は送信するための通信デバイスと、基地局と、通信デバイス及び基地局についてのそれぞれの方法と、に関する。通信デバイスは、動作中、基地局から、ホッピングパターンを指定するホッピングパターンインジケータであって、ホッピングパターンは、信号が複数の送信時間間隔ＴＴＩ内で受信又は送信される複数の帯域幅部分の順序である、ホッピングパターンインジケータを受信するトランシーバを含む。通信デバイスは、動作中、ホッピングパターンインジケータを評価して、ホッピングパターンを判別する回路を更に含む。トランシーバは、動作中、更に、ホッピングパターンに従って複数のＴＴＩ内で信号を受信又は送信する。
【図１】
2021515441.tif 000005
【図２】
2021515441.tif 000006
【図３】
2021515441.tif 000007
【図４】
2021515441.tif 000008
【図５】
2021515441.tif 000009
【図６】
2021515441.tif 000010
【図７】
2021515441.tif 000011
【図８Ａ】
2021515441.tif 000012
【図８Ｂ】
2021515441.tif 000013
【国際調査報告】
2021515441.tif 000014
2021515441.tif 000015
2021515441.tif 000016